(57)【要約】【課題】補助天板を折り畳み位置としたときに形成される隙間を極力小とすることにより、隙間への異物の侵入を防止しうるとともに、見栄えがよく、しかも操作性のよい補助天板装置を提供する。【解決手段】前面板５に、補助天板１２を水平軸１３をもって枢着し、補助天板１２をほぼ水平の使用位置と、水平軸１３より垂下する折り畳み位置とに回動可能とした補助天板装置２において、前面板５に、水平軸１３と補助天板１２の枢着部との上方を覆う上部覆い片１９ｂと、その先端部より垂下する垂下片１９ｃとを設け、かつ補助天板１２に、使用位置としたとき、垂下片１９ｃが進入するようにした凹部２０を設ける。【選択図】  図３
2015211731.tif 000002
【特許請求の範囲】
【請求項１】
什器本体の側面に、補助天板を水平軸をもって枢着し、前記補助天板をほぼ水平の使用位置と、前記水平軸より垂下する折り畳み位置とに回動可能とした補助天板装置において、
前記什器本体の側面に、前記水平軸と補助天板の枢着部との上方を覆う上部覆い片と、その先端部より垂下する垂下片とを設け、かつ前記補助天板に、使用位置としたとき、前記垂下片が進入するようにした凹部を設けたことを特徴とする補助天板装置。
【請求項２】
水平軸を、上部覆い片と垂下片との内隅部に配設し、かつ前記水平軸に枢着した可動ヒンジ片を、補助天板が折り畳み位置に位置しているとき、前記水平軸より什器本体の側面に向かって延出する基片と、その先端から垂下する折曲片とからなるものとし、前記折曲片の下部に補助天板を取り付け、該補助天板の上端と前記基片との間に、垂下片が進入する凹部を形成した請求項１記載の補助天板装置。
【請求項３】
補助天板を使用位置としたとき、補助天板の上面と、上部覆い片の上面とがほぼ同一面となるようにした請求項１または２記載の補助天板装置。
【請求項４】
什器本体の側面に設けられ、かつ上下方向を向くガイド溝を有する１対のガイドレールと、一端が補助天板における水平軸から離れた部分に枢着され、かつ他端に設けたガイドピンが前記ガイドレールのガイド溝に、上下方向に移動可能として嵌合された１対のリンクと、前記ガイドレールに設けられ、補助天板がほぼ使用位置まで回動したとき、前記ガイドピンの下降を阻止しうるようにした係止手段とを備える請求項１〜３のいずれかに記載の補助天板装置。
【請求項５】
係止手段を、ガイド溝の上端より斜め下方を向くようにしてガイドレールに設けられ、かつガイドピンが係合することにより、その下降を阻止するようにした係合溝とした請求項４記載の補助天板装置。
【発明の詳細な説明】
【技術分野】
【０００１】
本発明は、什器本体の側面等に、補助天板を、ほぼ水平の使用位置と、下向きの折り畳み位置とに回動可能として装着した補助天板装置に関する。
【背景技術】
【０００２】
商品陳列什器の前面若しくは側面、キャビネット等の収納什器の側面、または机、ワゴン等の側面(前後面を含む)に、補助天板装置を設けることがある(例えば特許文献１〜６参照)。
例えば、スーパーマーケットやデパートの惣菜売場では、時間帯により、惣菜や弁当等の陳列量が大幅に増減するため、補助天板装置を設け、陳列量が多い場合には、補助天板を使用位置として、その上に商品を陳列し、陳列量が少ない場合には、補助天板を折り畳み位置として、顧客の通行の妨げとならないようにしておくことがある。
【先行技術文献】
【特許文献】
【０００３】
【特許文献１】実開昭５０−７２５０２号公報
【特許文献２】実開平６−２１４２９号公報
【特許文献３】特許第４３１９４２８号公報
【特許文献４】特開２００８−７３４７３号公報
【特許文献５】特許第５４１５１６６号公報
【特許文献６】特開平１０−３５３３９号公報
【発明の概要】
【発明が解決しようとする課題】
【０００４】
上記のような従来の補助天板装置は、補助天板を折り畳み位置としたとき、その上方に隙間が形成され、見栄えが悪くなるだけでなく、その隙間に異物が挟まれて、補助天板の回動が不円滑となるおそれがある。
また、補助天板を使用位置や折り畳み位置に変換させる際の操作が、複雑で面倒なものが多い。
【０００５】
本発明は、従来の技術が有する上記のような問題点に鑑みてなされたもので、補助天板を折り畳み位置としたときに形成される隙間を極力小とすることにより、隙間への異物の侵入の可能性を小とするとともに、見栄えがよく、しかも操作性の優れた補助天板装置を提供することを目的としている。
【課題を解決するための手段】
【０００６】
本発明によると、上記課題は、次のようにして解決される。
（１）什器本体の側面に、補助天板を水平軸をもって枢着し、前記補助天板をほぼ水平の使用位置と、前記水平軸より垂下する折り畳み位置とに回動可能とした補助天板装置において、前記什器本体の側面に、前記水平軸と補助天板の枢着部との上方を覆う上部覆い片と、その先端部より垂下する垂下片とを設け、かつ前記補助天板に、使用位置としたとき、前記垂下片が進入するようにした凹部を設ける。
【０００７】
このような構成によると、補助天板を折り畳み位置としたとき、その上端部は、上部覆い片と垂下片とにより覆われるので、補助天板の上方に形成される隙間を極力小とすることができ、もって見栄えをよくすることができるとともに、隙間への異物の侵入を防止することができる。
また、補助天板を使用位置としたときは、垂下片が補助天板の凹部内に進入するので、垂下片が補助天板の回動の妨げとなることはなく、また、垂下片が露呈しなくなるので、見栄えがよくなる。
【０００８】
（２）上記(１)項において、水平軸を、上部覆い片と垂下片との内隅部に配設し、かつ前記水平軸に枢着した可動ヒンジ片を、補助天板が折り畳み位置に位置しているとき、前記水平軸より什器本体の側面に向かって延出する基片と、その先端から垂下する折曲片とからなるものとし、前記折曲片の下部に補助天板を取り付け、該補助天板の上端と前記基片との間に、垂下片が進入する凹部を形成する。
【０００９】
このような構成によると、垂下片が補助天板の回動の妨げとなることなく、補助天板を使用位置と折り畳み位置との間において円滑に回動させることができ、しかも、補助天板を折り畳み位置としたときに、垂下片の下端と補助天板との間に形成される隙間を極力小とすることができる。
【００１０】
（３）上記(１)または(２)項において、補助天板を使用位置としたとき、補助天板の上面と、上部覆い片の上面とがほぼ同一面となるようにする。
【００１１】
このような構成によると、補助天板を使用位置としたときの補助天板の上面と、上部覆い片の上面とを、共に商品の陳列面や作業面等として効果的に使用することができる。
【００１２】
（４）上記(１)〜(３)項のいずれかにおいて、什器本体の側面に設けられ、かつ上下方向を向くガイド溝を有する１対のガイドレールと、一端が補助天板における水平軸から離れた部分に枢着され、かつ他端に設けたガイドピンが前記ガイドレールのガイド溝に、上下方向に移動可能として嵌合された１対のリンクと、前記ガイドレールに設けられ、補助天板がほぼ使用位置まで回動したとき、前記ガイドピンの下降を阻止しうるようにした係止手段とを備えるものとする。
【００１３】
このような構成によると、補助天板を折り畳み位置から使用位置まで回動させると、リンクが外方に傾きつつ、ガイドピンがガイドレールのガイド溝に沿って上昇させられた後、係止手段によって下降が阻止され、それによって、補助天板は、使用位置に保持される。
この状態から、係止手段によるガイドピンの係止状体を解除すると、補助天板を使用位置から折り畳み位置まで回動させることができる。
したがって、補助天板の操作性をよくすることができる。
【００１４】
（５）上記(４)項において、係止手段を、ガイド溝の上端より斜め下方を向くようにしてガイドレールに設けられ、かつガイドピンが係合することにより、その下降を阻止するようにした係合溝とする。
【００１５】
このような構成によると、補助天板装置の構造を簡素化することができ、しかも、補助天板の操作性をよくすることができる。
また、係合溝を、ガイド溝の上端から什器本体の側面から離れる方向に下向きに設けると、補助天板を、使用位置をわずかに越えた位置まで回動させたとき、リンクとガイドピンとの自重により、ガイドピンが係合溝に自動的に係合するようにすることができ、逆に、係合溝を、ガイド溝の上端から什器本体の側面に近づく方向に下向きに設けると、補助天板を、使用位置をわずかに越えた位置まで回動させると、リンクとガイドピンとの自重により、ガイドピンが係合溝から自動的に離脱するようにすることができ、いずれの場合も、補助天板の操作性をよくすることに寄与することができる。
【発明の効果】
【００１６】
本発明によると、補助天板を折り畳み位置としたときに形成される隙間を極力小とすることにより、隙間への異物の侵入の可能性を小とするとともに、見栄えがよく、しかも操作性の優れた補助天板装置を提供することができる。
【図面の簡単な説明】
【００１７】
【図１】本発明の補助天板装置の一実施形態を備える冷蔵ショーケースの一部を破断して示す右側面図である。
【図２】同じく、右側下部の拡大正面図である。
【図３】図２におけるIII−III線縦断側面図である。
【図４】図３の状態から、補助天板を使用位置まで移動したときの状態を実線で、同じく、上限位置まで持ち上げたときの状態を２点鎖線で示す、図３と同様の縦断側面図である。
【図５】係止手段である係合溝の変形例を示す、図４と同様の縦断側面図である。
【発明を実施するための形態】
【００１８】
以下、本発明の補助天板装置の一実施形態を備える冷蔵ショーケースを、図面を参照して説明する。
図１は、本発明の補助天板装置の一実施形態を備える冷蔵ショーケースの右側面図、図２は、同じく右側下部の拡大正面図、図３は、図２におけるIII−III線拡大縦断側面図である。
【００１９】
商品陳列什器である冷蔵ショーケース１は、補助天板装置２を取り付ける什器の一例を示すためだけのものであって、それ自体の構造に特徴を有するものではない。したがって、冷蔵ショーケース１に関しては、大まかな全体構造と、本発明の補助天板装置２に関係する部分のみについて説明し、それ以外の構成についての詳細な説明は省略する。
すなわち、冷蔵ショーケース１は、基台３上に、底板４と前面板５と左右の両側板６と後面板(図示略)とを有するケース本体(什器本体)７を設け、このケース本体７内の下部と後部とに冷気通路８が形成されるようにして、その上方に、複数の棚板９、１０、１１を配設し、冷気通路８内に、冷却装置および送気ファン(いずれも図示略)を配設したものよりなっている。側板６の一部には、透明のガラス板６ａが嵌め込まれている。
【００２０】
ケース本体７の前面板５の前面には、複数の補助天板装置２が、左右方向に並べて設けられている。
複数の補助天板装置２は、すべて同一構造であり、左右方向の長さを異にするものがあるだけであるので、前面板５の右側部に配設されているもののみについて詳細に説明する。
【００２１】
補助天板装置２は、前面板５の上部に、補助天板１２を、水平軸１３をもって枢着する左右１対のヒンジ１４、１４を備えている。
各ヒンジ１４は、図２〜図４に示すように、複数の固定ねじ１５をもって前面板５の前面に固着された垂直の固定片１６ａと、その上端より前方を向く上片１６ｂと、その前端に連設され、水平軸１３の一部が嵌合された筒部１６ｃとからなる固定ヒンジ片１６と、水平軸１３の他部が嵌合された筒部１７ａと、そこから後方を向く基片１７ｂと、その後端から垂下する折曲片１７ｃとからなる可動ヒンジ片１７とを備えている。
可動ヒンジ片１７における折曲片１７ｃの下部に、補助天板１２の上部後面が、固定ねじ１８をもって固着されている。
【００２２】
補助天板１２は、ヒンジ１４をもって前面板５に枢着されることにより、図３に示すように、前面板５とほぼ平行をなして水平軸１３より垂下する折り畳み位置と、図４に実線で示すように、前面板５の上端部よりほぼ水平をなして前方に突出する使用位置と、図４に２点鎖線で示すように、使用位置より前端部をさらに上方に持ち上げた上限位置との間を、水平軸１３を中心として回動可能である。
【００２３】
前面板５の上端には、その上端面を覆う基片１９ａと、その前端から前面板５の前面より前方に突出し、水平軸１３と補助天板１２の枢着部、すなわちヒンジ１４の上方を覆う上部覆い片１９ｂと、その前端より垂下する垂下片１９ｃとからなるカバー部材１９が固着されている。
【００２４】
垂下片１９ｃの上下方向の長さは、補助天板１２の板厚より小とし、かつ補助天板１２を折り畳み位置としたとき、垂下片１９ｃの下端が補助天板１２の上端に近接するようにしてある。
また、補助天板１２を折り畳み位置としたとき、垂下片１９ｃの前面が、補助天板１２の前面と同一面となるようにするのが好ましい。
【００２５】
折り畳み位置としたときの補助天板１２の上端と、可動ヒンジ片１７の基片１７ｂとの間には、補助天板１２を使用位置としたとき、垂下片１９ｃが進入しうるようにした凹部２０が形成されている。
【００２６】
補助天板１２を使用位置としたとき、その上面がカバー部材１９における基片１９ａおよび上部覆い片１９ｂの上面とほぼ同一面となり、かつ後端面が垂下片１９ｃの前面に近接するようにしておくのが好ましい。
【００２７】
補助天板１２の両側部に対応する前面板５の前面における左右２箇所には、上下方向を向くガイドレール２１における取付片２１ａが、複数の固定ねじ２２をもって固着されている。
各ガイドレール２１における取付片２１ａより前方に折曲形成されたガイド片２１ｂには、上下方向を向くガイド溝２３と、その上端から後下方を向く係合溝２４とが設けられている。
【００２８】
折り畳み位置としたときの補助天板１２の後面における左右のガイドレール２１と対応する部分には、各ガイドレール２１におけるガイド片２１ｂが嵌合しうるようにした上下方向を向く凹溝２５が設けられている。
補助天板１２の後面における凹溝２５の外側縁部には、ブラケット２６における取付片２６ａが、固定ねじ２７をもって固着されている。
【００２９】
ブラケット２６における取付片２６ａの内側の側部より直角に折曲形成されて凹溝２５内に進入する軸支片２６ｂには、上下方向を向くリンク２８の上端部が、左右方向を向く水平軸２９をもって枢着されている。
この水平軸２９は、補助天板１２における水平軸１３から離れた上下方向の中間部に位置している。
【００３０】
リンク２８の下端部には、ガイドレール２１におけるガイド溝２３にその長手方向に摺動可能として嵌合された左右方向を向く有頭のガイドピン３０が突設されている。
【００３１】
折り畳み位置としたときの補助天板１２の後面における下部中央には、永久磁石３１が設けられ、補助天板１２を折り畳み位置としたとき、この永久磁石３１が、前面板５の前面に設けた磁性金属板３２に磁力により吸着することによって、補助天板１２が不意に前方に回動することがないようにしてある。
なお、この永久磁石３１と磁性金属板３２に代えて、補助天板１２の後面と前面板５の前面との間に公知のキャッチャを設けることもある。
【００３２】
次に、この補助天板装置２の作用、および取り扱い要領について説明する。
補助天板１２を、図３に示す折り畳み位置から、図４に実線で示す使用位置を経て、図４に２点鎖線で示す上限位置まで回動させると、リンク２８の上部が前上方に引き上げられて前傾しつつ、その下端のガイドピン３０はガイド溝２３に沿って上昇させられる。ガイドピン３０がガイド溝２３の上端に達すると、補助天板１２は、上限位置で停止させられ、それ以上の上向き回動が阻止される。
【００３３】
この状態から、リンク２８を後方に押しつつ、補助天板１２の前部を使用位置まで下降させると、ガイドピン３０は、係合溝２４内に進入し、その先端に達すると、補助天板１２は、使用位置に安定よく支持される(図４の実線参照)。
【００３４】
その後、補助天板１２を、使用位置から上限位置まで移動させると、ガイドピン３０は、一旦ガイド溝２３の上端に達し、その後補助天板１２の前部を下げると、ガイドピン３０は、その自重とリンク２８の重力とにより、係合溝２４に進入することなく、ガイド溝２３に沿って下降する。
したがって、補助天板１２を、使用位置から折り畳み位置へ戻す際は、リンク２８を操作することなく、一旦上限位置まで持ち上げた後、下向き回動させるだけでよく、操作性がよい。
【００３５】
この補助天板装置２は、前面板５に、水平軸１３と補助天板１２の枢着部との上方を覆う上部覆い片１９ｂと、その先端部より垂下する垂下片１９ｃとを設け、かつ補助天板１２に、使用位置としたとき、垂下片１９ｃが進入するようにした凹部２０を設けてあるので、補助天板１２を折り畳み位置としたとき、その上端部は、上部覆い片１９ｂと垂下片１９ｃとにより覆われ、補助天板１２の上方に形成される隙間を極力小とすることができ、もって見栄えをよくすることができるとともに、隙間への異物の侵入を防止することができる。
また、補助天板１２を使用位置としたときは、垂下片１９ｃが補助天板１２の凹部２０内に進入するので、垂下片１９ｃが補助天板１２の回動の妨げとなることはなく、また、垂下片１９ｃが露呈しなくなるので、見栄えがよくなる。
【００３６】
また、水平軸１３を、上部覆い片１９ｂと垂下片１９ｃとの内隅部に配設し、かつ水平軸１３に枢着した可動ヒンジ片１７を、補助天板１２が折り畳み位置に位置しているとき、水平軸１３より前面板５に向かって延出する基片１７ｂと、その先端から垂下する折曲片１７ｃとからなるものとし、折曲片１７ｃの下部に補助天板１２を取り付け、該補助天板１２の上端と基片１７ｂとの間に、垂下片１９ｃが進入する凹部２０を形成してあるので、垂下片１９ｃが補助天板１２の回動の妨げとなることなく、補助天板１２を使用位置と折り畳み位置との間において円滑に回動させることができ、しかも、補助天板１２を折り畳み位置としたときに、垂下片１９ｃの下端と補助天板１２との間に形成される隙間を極力小とすることができる。
【００３７】
上記実施形態においては、ガイド溝２３の上端より後斜め下方を向くようにしてガイドレール２１に設けられ、かつガイドピン３０が係合することにより、その下降を阻止するようにした係合溝２４により、補助天板１２がほぼ使用位置まで回動したとき、ガイドピン３０の下降を阻止しうるようにした係止手段を形成してあるが、このような係止手段は、他の構造のもの、例えば、ガイド溝２３に沿うガイドピン３０の昇降軌跡内に一部が突入するようにして、ガイドレール２１のガイド片２１ｂに枢着され、かつガイド溝２３に沿うガイドピン３０の上昇は許容するが、下降は阻止し、操作手段の操作によって、ガイドピン３０の昇降軌跡から退避させることにより、ガイドピン３０の下降を許容するようにした係止レバー(図示略)等とすることができる。
【００３８】
また、係止手段を、図５に示すように、ガイド溝２３の上端から前下方を向く係合溝３３とすることもできる。
このような構成とすると、補助天板１２を、使用位置をわずかに越えた上限位置まで回動させると、リンク２８とガイドピン３０との自重により、ガイドピン３０が係合溝３３に自動的に係合するようにすることができる。補助天板１２を使用位置から折り畳み位置へ戻すには、補助天板１２を上限位置まで持ち上げた状態で、リンク２８を後方に押動しつつ、補助天板１２を下向き回動させればよい。
【００３９】
本発明は、上記実施形態のみに限定されるものではなく、特許請求の範囲を逸脱することなく、例えば、次のような幾多の変形した態様での実施が可能である。
(１)  水平脚上に立設した基板(いずれも図示略)に、ヒンジ１４およびガイドレール２１を取り付け、補助天板装置２を冷蔵ショーケース１等の什器から独立したものとして形成し、それを冷蔵ショーケース１の前面板５の前方、またはその他の什器の前面または側面に配設して使用する。
(２)  左右のガイドピン３０、３０に代えて、左右のリンク２８、２８の下端部同士を、左右のガイドレール２１、２１のガイド溝２３、２３を挿通する左右方向を向く連結杆(図示略)をもって連結し、この連結杆の中間部を前後方向に押動することにより、左右のリンク２８、２８を、互いに同期して、前後方向に回動させるようにする。
【符号の説明】
【００４０】
１  冷蔵ショーケース(商品陳列什器)
２  補助天板装置
３  基台
４  底板
５  前面板
６  側板
６ａガラス板
７  ケース本体(什器本体)
８  冷気通路
９、１０、１１  棚板
１２  補助天板
１３  水平軸
１４  ヒンジ
１５  固定ねじ
１６  固定ヒンジ片
１６ａ固定片
１６ｂ上片
１６ｃ筒部
１７  可動ヒンジ片
１７ａ筒部
１７ｂ基片
１７ｃ折曲片
１８  固定ねじ
１９  カバー部材
１９ａ基片
１９ｂ上部覆い片
１９ｃ垂下片
２０  凹部
２１  ガイドレール
２１ａ取付片
２１ｂガイド片
２２  固定ねじ
２３  ガイド溝
２４  係合溝(係止手段)
２５  凹溝
２６  ブラケット
２６ａ取付片
２６ｂ軸支片
２７  固定ねじ
２８  リンク
２９  水平軸
３０  ガイドピン
３１  永久磁石
３２  磁性金属板
３３  係合溝(係止手段)
【図１】
2015211731.tif 000003
【図２】
2015211731.tif 000004
【図３】
2015211731.tif 000005
【図４】
2015211731.tif 000006
【図５】
2015211731.tif 000007